(57)【要約】【課題】掃除機本体を着脱可能に構成すると共に、手持ち使用時に掃除機本体が落下して使用者に怪我を与えたり床を傷付けるのを防ぐことができる縦型掃除機を提供する。【解決手段】電動送風機や着脱可能な集塵部１２を有する掃除機本体１と前記集塵部１２に連通するホース２とが床用吸込具３１や操作用ハンドル３２を有するスティック部３に着脱可能に取り付けられると共に、掃除機本体１の上部側に当該掃除機本体１の手持ち用ハンドル１４を備えて、下部側に着脱可能な集塵部１２を配置した。【選択図】        図１
2005040243.tif 000002
【特許請求の範囲】
【請求項１】
電動送風機や着脱可能な集塵部を有する掃除機本体と前記集塵部に連通するホースとが床用吸込具や操作用ハンドルを有するスティック部に着脱可能に取り付けられると共に、掃除機本体の上部側に当該掃除機本体の手持ち用ハンドルを備えて、下部側に着脱可能な集塵部を配置したことを特徴とする縦型掃除機。
【請求項２】
前記集塵部を掃除機本体の最下部に配置したことを特徴とする請求項１記載の縦型掃除機。
【請求項３】
前記スティック部は、前記掃除機本体を取り外した状態でも自立可能に構成されて成ることを特徴とする請求項１又は請求項２記載の縦型掃除機。
【請求項４】
前記スティック部は、折り畳み可能に構成されると共に、前記掃除機本体を取り外したときにスティック部が伸びた状態でも折り畳んだ状態でも自立可能に構成されて成ることを特徴とする請求項１又は請求項２記載の縦型掃除機。
【請求項５】
前記集塵部の上側に電動送風機を配置すると共に、この電動送風機の電源コード用のコードリールを電動送風機の直上に配置したことを特徴とする請求項１ないし請求項４のいずれかに記載の縦型掃除機。
【請求項６】
前記電動送風機の電源コード用のコードリールを前記掃除機本体の上部側に配置したことを特徴とする請求項１ないし請求項５のいずれかに記載の縦型掃除機。
【発明の詳細な説明】
【０００１】
【発明の属する技術分野】
本願発明は、縦型（アップライト型）掃除機に係わり、特に電動送風機や着脱可能な集塵部を有する掃除機本体が比較的小型軽量のスティック型と呼ばれる縦型掃除機に関するものである。
【０００２】
【従来の技術】
従来、この種の縦型掃除機は、一般的に、床用吸込具や操作用ハンドルを有するスティック部が電動送風機や着脱可能な集塵部を有する掃除機本体に一体に構成されており、掃除機本体を着脱することはできなかった。
【０００３】
なお、床移動型（キャニスタータイプ）としての使用と縦型（アップライトタイプ）としての使用を可能とする電気掃除機は知られている（例えば、特許文献１参照）。
【０００４】
【特許文献１】
特開平８−３３５９１号公報（図１〜図７）
【０００５】
【発明が解決しようとする課題】
ところが、掃除機本体を着脱できない一般的な縦型掃除機では、ベットの下や家具の上などの部屋の上方や階段等を容易に掃除できないという課題があった。
【０００６】
また、上記特許文献１に記載されたような床移動型としての使用と縦型としての使用を可能とする電気掃除機においては、掃除機本体を取り外すことができるが、これはあくまで床移動型としての使用を目的としたものであって、掃除機本体の手持ち用ハンドルの記載が無いことからも明らかなように、手持ち使用については全く考慮されていない。
【０００７】
従って、手持ち使用を行おうとすれば、縦型としての使用時に上部に位置する集塵部に着脱可能に差し込まれたホース先端を持って行うか、上部に位置する集塵部に手持ち用ハンドルを設けて行わなければならず、このような手持ち使用では、掃除機本体が何かに当たって衝撃を受けた場合、ホースが差込口から外れたり、手持ち用ハンドルが設けられた着脱可能な集塵部が外れて、重量のある電動送風機が収納された掃除機本体が落下して、使用者に怪我を与えたり床を傷付ける畏れがある。
【０００８】
そこで、本願発明はこのような課題を解決するためになされたものであり、掃除機本体を着脱可能に構成すると共に、手持ち使用時に掃除機本体が落下して使用者に怪我を与えたり床を傷付けるのを防ぐことができる縦型掃除機を提供することを目的とするものである。
【０００９】
【課題を解決するための手段】
上記のような目的を達成するために、本願発明は、電動送風機や着脱可能な集塵部を有する掃除機本体と前記集塵部に連通するホースとが床用吸込具や操作用ハンドルを有するスティック部に着脱可能に取り付けられると共に、掃除機本体の上部側に当該掃除機本体の手持ち用ハンドルを備えて、下部側に着脱可能な集塵部を配置したことを特徴とするものである。
【００１０】
また、前記集塵部を掃除機本体の最下部に配置したことを特徴とするものである。
【００１１】
さらに、前記スティック部は、前記掃除機本体を取り外した状態でも自立可能に構成されて成ることを特徴とするものである。
【００１２】
また、前記スティック部は、折り畳み可能に構成されると共に、前記掃除機本体を取り外したときにスティック部が伸びた状態でも折り畳んだ状態でも自立可能に構成されて成ることを特徴とするものである。
【００１３】
また、前記集塵部の上側に電動送風機を配置すると共に、この電動送風機の電源コード用のコードリールを電動送風機の直上に配置したことを特徴とするものである。
【００１４】
また、前記電動送風機の電源コード用のコードリールを前記掃除機本体の上部側に配置したことを特徴とするものである。
【００１５】
【発明の実施の形態】
以下、本願発明の実施形態を図面を参照して詳細に説明する。
【００１６】
図１〜図６は本願発明による縦型掃除機の一実施形態の構成及び作用を示す図であり、このスティック型と呼ばれる縦型掃除機の基本的構成は、電動送風機１１や着脱可能な集塵部１２やコードリール１３を有する掃除機本体１と前記集塵部１２に連通するホース２とが床用吸込具３１や操作用ハンドル３２を有するスティック部３に着脱可能に取り付けられると共に、掃除機本体１の上部側に当該掃除機本体１の手持ち用ハンドル１４を備えて、下部側に着脱可能な集塵部１２を配置したものである。
【００１７】
具体的に説明すると、比較的小型軽量（ここでは約３Ｋｇ）の掃除機本体１には図４に示すように、下部側から、サイクロン方式の着脱可能な集塵部１２、モータ１１１と送風機１１２が一体化されてモータ１１１を上側にして配置された電動送風機１１、そのすぐ上に配置されて電動送風機１１の電源コード１３１を巻き取るコードリール１３、このコードリール１３の上部側に前後方向に形成された手持ち用ハンドル１４が配置されている。すなわち、手持ち用ハンドル１４が最上部に配置されると共に、着脱可能な集塵部１２が最下部に配置されている。また、掃除機本体１の下部には上記集塵部１２に連通するホース２が取り付けられている。
【００１８】
一方、スティック部３は高さ方向中程に設けられた回動部３３から上方の操作用ハンドル３２が後側に折り畳み可能に構成され、上端部にグリップ部３２１が形成された操作用ハンドル３２を図２に示すように後側に折り畳むことによりコンパクトに収納できるようになっている。また、スティック部３の下端には、底面側に吸込口３１１を有して回転ブラシ（図示せず）や前輪３１２及び後輪３１３等を備えた床用吸込具３１が回動可能に取り付けられており、掃除の際には床用吸込具３１の底面側が被掃除面に接触した状態でスティック部３が後方に傾倒可能に構成されている。
【００１９】
ところで、この種の縦型掃除機では、掃除機本体１装着状態でのバランスにより自立することを基本とするため、掃除機本体１を着脱可能にすると、掃除機本体１を取り外した状態で使用する場合にはバランスが取れず、スティック部３が自立できずに倒れてしまう畏れがある。
【００２０】
そこで、本実施形態では、掃除機本体１を取り外したときにスティック部３が自立するようにバランスを取ると共に、掃除機本体１を取り外した状態のままスティック部３の操作用ハンドル３２を後側に折り畳んだ時には操作用ハンドル３２のグリップ部３２１の先端３２１ａが床面に当接あるいは近接するようにして、スティック部３の転倒を防ぐ構造としている。すなわち、スティック部３は、図１の状態から掃除機本体１を取り外した状態でも図５に示す如く自立するように、操作用ハンドル３２を前方に反った略円弧状に形成してバランスを取れるようにしている。しかし、このように形成すると、操作用ハンドル３２を後側に折り畳んだときには重心が後方に移動して後側に転倒しやすくなる。そこで、本実施形態では、操作用ハンドル３２を後側に折り畳んだ状態では、図６に示すように操作用ハンドル３２のグリップ部３２１の先端３２１ａが床面に当接するようにして、後側に倒れるのを防いでいる。なお、この状態では、グリップ部３２１の先端３２１ａが床面に当接しても、掃除機本体１が装着されていないので、グリップ部３２１の先端３２１ａには余り力が加わらないため、当接しても床面を傷付けることはない。また、図２に示すように、掃除機本体１装着状態で操作用ハンドル３２を折り畳んだときは、掃除機本体１の重量にとって重心が前に移動するので、グリップ部３２１の先端３２１ａは床面からやや浮いた状態になるか、当接してもほとんど力が加わらないため、床面を傷付けることはない。ところで、本実施形態では操作用ハンドル３２を後側に折り畳んだ状態で操作用ハンドル３２のグリップ部３２１の先端３２１ａが床面に当接するようにしたが、近接するようにしても、後側に転倒しようとすると当接するので、転倒を防ぐことができる。
【００２１】
また、スティック部３の内側には、床用吸込具３１からの塵埃を含んだ空気の吸気管（図示せず）が形成され、この吸気管に連通してスティック部３の側面にホース２先端の吸込筒２１を着脱可能に差し込むための差込口３５が形成されている。ホース２先端の吸込筒２１には、抜け止め防止用のクランプ片２２が弾性を有するように一体に形成されており、吸込筒２１を差込口３５に差し込むと、クランプ片２２のクランプ２２１が差込口３５側の係止部３５１に自動的に係止して外れなくなり、取り外すときはクランプ片２２の操作部２２２を押すことにより、上記係止状態が解除されて取り外すことができるようになっている。
【００２２】
また、上記スティック部３内の吸気管の外側には、スティック部３の前面側に形成されて掃除機本体１の背面側に開口する排気口１５周縁に密着当接して連結される突出した還流路連結口３６に連通して、床用吸込具３１の吸込口３１１に排気を還流する排気還流路（図示せず）が形成されている。本実施形態においては、図４に拡大図示したように、掃除機本体１側の排気口１５周縁にはパッキン１６が装着されており、このパッキン１６にスティック部３側から突出するように形成された筒状の還流路連結口３６が密着当接することにより、気密性が向上するように構成されている。ここで、パッキン１６が装着された排気口１５と還流路連結口３６は還流路連結部を構成する。
【００２３】
また、本実施形態では、掃除機本体１の背面側に電動送風機１１配置位置からスティック部３の下部前面側に延び、先端部に凹部１７１（図３参照）が形成された引っ掛け部材１７を設け、スティック部３の下部前面側にはリブ３８を形成して、このリブ３８の上面に形成された凹部３８１に前記引っ掛け部材１７に形成した凹部１７１が載置係合するようにして、スティック部３に掃除機本体１を取り付ける際の位置決め機能と掃除機本体１の支持機能を実現している。
【００２４】
上記掃除機本体１は、その最上部に形成された手持ち用ハンドル１４を持って、掃除機本体１の背面側から形成された引っ掛け部材１７の先端凹部１７１をスティック部３側リブ部３８の凹部３８１に載置係合してから、掃除機本体１の上部背面側を対応するスティック部３の前面側にクランプ（図示せず）で係止することにより取り付けられ、このクランプの係止状態をボタン操作等で解除することにより取り外すことができるようにして、容易に着脱できるように構成されている。
【００２５】
また、集塵部１２は、その上面側を掃除機本体１の底面側係合部に係合させて、集塵部１２の前面側上部に形成されたクランプ１２１を掃除機本体１側の係止部１２２に係止することにより取り付けられ、このクランプ１２１の係止状態を解除することにより取り外すことができるように構成されている。
【００２６】
また、コードリール１３が配置された掃除機本体１の上部側面には、図示はしないが、コードリール１３に巻かれた電源コード１３１を引き出すと共にコードリール１３に巻き取られるときに電源プラグが本体１内に入り込むのを防ぐストッパーを有するコード引出口が形成されている。
【００２７】
以上の構成において、通常の縦型掃除機としての使用時の吸排気の流れは以下のようになる。すなわち、電動送風機１１が駆動することにより、床用吸込具３１の吸込口３１１から塵埃と共に吸い込まれた空気は、スティック部３内の吸気管を通って、ホース差込口３５を介してホース２内を通り、掃除機本体１に装着されたサイクロン方式の集塵部１２内に吸い込まれる。
【００２８】
サイクロン方式の集塵部１２内で塵埃が除去された空気は、電動送風機１１の送風機１１２に吸い込まれ、さらにモータ１１１を冷却してから排出される。電動送風機１１から排出された排気の一部は掃除機本体１の背面側の排気口１５から還流路連結口３６，還流路を介して床用吸込具３１に還流され、その吸込口３１１から絨毯等の被掃除面に吹き付けられることにより、絨毯等に付着した塵埃を効率良く吸い込むことができるようになる。
【００２９】
本実施形態においては、掃除機本体１側の排気口１５とスティック部３側の還流路連結口３６とを直結するようにしているので、前記特許文献１の図１に示されたような連結用のホースが不要となり、低コスト化や省スペース化を図ることができる。また、掃除機本体１側の排気口１５とスティック部３側の還流路連結口３６はそれぞれの取付面に形成されているので、比較的簡単な構成で容易に実現することができる。また、掃除機本体１側の排気口１５の周縁にスティック部３側から突出する還流路連結口３６が密着当接する構成であるので、掃除機本体１の着脱に影響を及ぼすこともない。さらに、スティック部３側から突出する還流路連結口３６が密着当接する本体１側排気口１５の周縁にはパッキン１６が装着されているので、気密性が向上する。
【００３０】
一方、電動送風機１１からの排気の残りは、コードリール１３に吹き付けられ、それに巻かれた電源コード１３１を冷却してから、掃除機本体１の側面等に形成された排気孔（図示せず）から外部に排出される。
【００３１】
また、ベットの下等の掃除を行う場合は、スティック部３に掃除機本体１が取り付けられたままでは掃除機本体１が邪魔になって掃除できないので、手持ち用ハンドル１４を片手で持って掃除機本体１をスティック部３から取り外し、ホース２はスティック部３に取り付けたままとする。そして、掃除機本体１が取り外されたスティック部３の操作用ハンドル３２のグリップ部３２１をもう一方の手で持ってスティック部３を後方に倒しながら床用吸込具３１をベットの下等に挿入することにより、容易に掃除を行うことができる。また、このような掃除の途中では、手持ち用ハンドル１４で持った掃除機本体１が何かに当たることがあるが、何かに当たって衝撃を受けても、手持ち用ハンドル１４は掃除機本体１に形成されているので、重量のある電動送風機１１を収納した掃除機本体１が落下することはなく、落下によって使用者に怪我を与えたり床を傷付けるのを防ぐことができる。また、何かに当たった衝撃によって万一、集塵部１２が掃除機本体１から外れて落下しても、集塵部１２は軽く、しかも掃除機本体１の最下部に配置されているので、集塵部１２の落下によっても使用者に怪我を与えたり床を傷付けるのを防ぐことができる。
【００３２】
また、家具の上などの部屋の上方や階段等を掃除する場合は、図３に示すように掃除機本体１と共にホース２もスティック部３から取り外して、片手で手持ち用ハンドル１４を持ち、もう一方の手でホース２先端を持ってホース２先端の吸込筒２１やこれに装着できる隙間用ノズル等を用いて、家具の上などの部屋の上方や階段等も容易に掃除することができる。このような使用形態においても、前記と同様な作用効果が得られる。
【００３３】
さらに、本実施形態では、上記のように掃除機本体１を取り外して使用する場合にも、スティック部３を横に倒しておくような手間も掛からずに、図５に示すようにスティック部３の操作用ハンドル３２を立てたままの状態で自立すると共に、図６に示すように操作用ハンドル３２を後側に折り畳んだ状態でも操作用ハンドル３２のグリップ部３２１の先端３２１ａが床面に当接して自立するので、掃除機本体１の取り外されたスティック部３が倒れるのを防ぐことができる。
【００３４】
また、本実施形態では、コードリール１３を掃除機本体１の上部側に配置したことで、電源コード１３１の引出口も掃除機本体１の上部側に形成できるので、電源コード１３１が床用吸込具３１や使用者の足等と交錯しにくくなると共に、電源コード１３１の引き出しも容易になる。また、コードリール１３が電動送風機１１のすぐ上に配置されているので、電動送風機１１からの排気による電源コード１３１の冷却が容易となる。
【００３５】
【発明の効果】
以上のように本願発明によれば、電動送風機や着脱可能な集塵部を有する掃除機本体と前記集塵部に連通するホースとが床用吸込具や操作用ハンドルを有するスティック部に着脱可能に取り付けられると共に、掃除機本体の上部側に当該掃除機本体の手持ち用ハンドルを備えて、下部側に着脱可能な集塵部を配置したことにより、掃除機本体をスティック部から取り外した手持ち使用時に、手持ち用ハンドルで持った掃除機本体が何かに当たって衝撃を受けても、手持ち用ハンドルは掃除機本体に形成されているので、重量のある電動送風機を収納した掃除機本体が落下することはなく、落下によって使用者に怪我を与えたり床を傷付けるのを防ぐことができる。
【００３６】
また、前記集塵部を掃除機本体の最下部に配置したことにより、何かに当たった衝撃によって万一、集塵部が掃除機本体から外れて落下しても、集塵部は軽く、しかも掃除機本体の最下部に配置されているので、集塵部の落下によっても使用者に怪我を与えたり床を傷付けるのを防ぐことができる。
【００３７】
さらに、前記スティック部は、前記掃除機本体を取り外した状態でも自立可能に構成されて成るものであるから、掃除機本体を取り外して使用する場合にも、スティック部を横に倒しておくような手間も掛からずにスティック部は自立するので、掃除機本体の取り外されたスティック部が倒れるのを防ぐことができる。
【００３８】
また、前記スティック部は、折り畳み可能に構成されると共に、前記掃除機本体を取り外したときにスティック部が伸びた状態でも折り畳んだ状態でも自立可能に構成されて成るものであるから、掃除機本体を取り外して使用する場合にも、スティック部を横に倒しておくような手間も掛からずにスティック部が伸びた状態でも折り畳んだ状態でも自立するので、いずれの状態でも掃除機本体の取り外されたスティック部が倒れるのを防ぐことができる。
【００３９】
また、前記集塵部の上側に電動送風機を配置すると共に、この電動送風機の電源コード用のコードリールを電動送風機の直上に配置したことにより、電動送風機からの排気による電源コードの冷却が容易となる。
【００４０】
また、前記電動送風機の電源コード用のコードリールを前記掃除機本体の上部側に配置したことにより、電源コードの引出口も掃除機本体の上部側に形成できるので、電源コードが床用吸込具や使用者の足等と交錯しにくくなると共に、電源コードの引き出しも容易になる。
【図面の簡単な説明】
【図１】本願発明による縦型掃除機の一実施形態の側面図。
【図２】同じく、スティック部の操作用ハンドルを後側に折り畳んだ収納状態を示す側面図。
【図３】同じく、スティック部から掃除機本体と共にホースも取り外した状態を示す側面図。
【図４】同じく、掃除機本体の内部構成を示すための側断面図。
【図５】上記図１のスティック部から掃除機本体を取り外した状態を示す側面図。
【図６】同じく、その操作用ハンドルを後側に折り畳んだ状態を示す側面図。
【符号の説明】
１  掃除機本体
１１  電動送風機
１２  集塵部
１３  コードリール
１４  手持ち用ハンドル
１５  排気口
１６  パッキン
２  ホース
３  スティック部
３１  床用吸込具
３２  操作用ハンドル
３２１  グリップ部
３２１ａ  グリップ部先端
３３  回動部
３５  差込口
３６  還流路連結口
【図１】
2005040243.tif 000003
【図２】
2005040243.tif 000004
【図３】
2005040243.tif 000005
【図４】
2005040243.tif 000006
【図５】
2005040243.tif 000007
【図６】
2005040243.tif 000008